(57)【要約】      （修正有）【課題】新たな商品陳列の演出効果を奏する商品陳列具セットを提供すること。【解決手段】ｎ個の商品陳列具からなる商品陳列具セットであり（ｎは、２以上の整数である。）、該ｎ個の商品陳列具は、いずれも、商品陳列用平坦部と、該商品陳列用平坦部の裏面に設けられている脚部と、を有し、該ｎ個の商品陳列具の商品陳列用平坦部の平面形状が、いずれも、２つの長辺と、２つの短辺とからなる形状であり、且つ、該長辺は、いずれも、略Ｓ字状又は略逆Ｓ字状である。商品陳列具の個数、または、各商品陳列具の陳列面の高さの差は、演出に合わせて適宜選択される。【選択図】図６
0003203604.tif 000002
【実用新案登録請求の範囲】
【請求項１】
ｎ個の商品陳列具からなる商品陳列具セットであり（ｎは、２以上の整数である。）、
該ｎ個の商品陳列具は、いずれも、商品陳列用平坦部と、該商品陳列用平坦部の裏面に設けられている脚部と、を有し、
該ｎ個の商品陳列具の商品陳列用平坦部の平面形状が、いずれも、２つの長辺と、２つの短辺とからなる形状であり、且つ、該２つの長辺は、いずれも、略Ｓ字状又は略逆Ｓ字状であり、
第１番目の商品陳列具から第ｎ番目の商品陳列具まで、順に陳列面の位置が高くなっており、第２番目から第ｎ番目までの各商品陳列具の商品陳列用平坦部の下側の位置が、１つだけ小さい順番の商品陳列具の商品陳列用平坦部の陳列面の位置より高くなるように、第１番目から第ｎ番目までのｎ個の商品陳列具の商品陳列用平坦部の厚み及び脚部の高さが調節されており、
該ｎ個の商品陳列具の商品陳列用平坦部の平面形状が、２つの短辺のいずれもが略直線状であり且つ２つの短辺が略ハの字状である形状であり、脚部が商品陳列用平坦部の短辺側又はその近傍に形成されていること、
を特徴とする商品陳列具セット。
【請求項２】
前記ｎ個の商品陳列具の商品陳列用平坦部の平面形状における、前記２つの長辺は、いずれも、両端間の長さに対する膨らみ高さの比が０．０２５〜０．２０である略Ｓ字状又は略逆Ｓ字状であることを特徴とする請求項１記載の商品陳列具セット。
【請求項３】
前記ｎ個の商品陳列具の商品陳列用平坦部の平面形状における、前記２つの長辺は、いずれも、両端間の長さに対する膨らみ高さの比が０．０３５〜０．１５である略Ｓ字状又は略逆Ｓ字状であることを特徴とする請求項１記載の商品陳列具セット。
【請求項４】
前記ｎ個の商品陳列具の商品陳列用平坦部の平面形状における、前記２つの長辺は、いずれも、両端間の長さに対する膨らみ高さの比が０．０５〜０．１０である略Ｓ字状又は略逆Ｓ字状であることを特徴とする請求項１記載の商品陳列具セット。
【請求項５】
前記ｎ個の商品陳列具の商品陳列用平坦部の平面形状における、前記２つの長辺は、いずれも、両端間の長さに対する膨らみ高さの比が０．０６〜０．０９である略Ｓ字状又は略逆Ｓ字状であることを特徴とする請求項１記載の商品陳列具セット。
【請求項６】
前記ｎ個の商品陳列具の商品陳列用平坦部の平面形状が、全て略同一であることを特徴とする請求項１〜５いずれか１項記載の商品陳列具セット。
【請求項７】
前記ｎ個の商品陳列具の商品陳列用平坦部の全ての平面形状が、前記２つの長辺がいずれもＳ字であるか又はいずれも逆Ｓ字である形状であることを特徴とする請求項６記載の商品陳列具セット。
【考案の詳細な説明】
【技術分野】
【０００１】
本考案は、商品を陳列するための商品陳列具を複数組み合わせることにより、商品の陳列形態を形成させる商品陳列具セットに関する。
【背景技術】
【０００２】
従来より、陳列面の高さが異なる商品陳列具を用いて、商品陳列の演出効果を高めるという商品の陳列形態はあった。例えば、高さの異なる略矩形の陳列台を複数用意し、種々の配置形態に並べるような陳列形態である。
【考案の概要】
【考案が解決しようとする課題】
【０００３】
しかし、商品陳列具の陳列面の高さや配置の工夫だけでは、商品陳列の演出効果には限界があった。
【０００４】
従って、本考案の課題は、新たな商品陳列の演出効果を奏する商品陳列具セットを提供することにある。
【課題を解決するための手段】
【０００５】
本考案者らは、上記従来技術における課題を解決すべく、鋭意研究を重ねた結果、商品陳列用平坦部の平面形状を、膨らみが比較的小さいＳ字又は略Ｓ字の長辺で構成された形状とすることにより、新たな商品陳列の演出効果が得られることを見出し、本考案を完成させるに至った。
【０００６】
すなわち、本考案は、ｎ個の商品陳列具からなる商品陳列具セットであり（ｎは、２以上の整数である。）、
該ｎ個の商品陳列具は、いずれも、商品陳列用平坦部と、該商品陳列用平坦部の裏面に設けられている脚部と、を有し、
該ｎ個の商品陳列具の商品陳列用平坦部の平面形状が、いずれも、２つの長辺と、２つの短辺とからなる形状であり、且つ、該２つの長辺は、いずれも、略Ｓ字状又は略逆Ｓ字状であり、
第１番目の商品陳列具から第ｎ番目の商品陳列具まで、順に陳列面の位置が高くなっており、第２番目から第ｎ番目までの各商品陳列具の商品陳列用平坦部の下側の位置が、１つだけ小さい順番の商品陳列具の商品陳列用平坦部の陳列面の位置より高くなるように、第１番目から第ｎ番目までのｎ個の商品陳列具の商品陳列用平坦部の厚み及び脚部の高さが調節されていること、
を特徴とする商品陳列具セットを提供するものである。
【考案の効果】
【０００７】
本考案によれば、新たな商品陳列の演出効果を奏する商品陳列具セットを提供することができる。
【図面の簡単な説明】
【０００８】
【図１】商品陳列具の形態例の模式的な斜視図である。
【図２】図１に示す商品陳列具の６面図である。
【図３】図２に示す商品陳列具の平面図の拡大図である。
【図４】図２に示す商品陳列具の正面図の拡大図である。
【図５】本考案の商品陳列具セットの形態例の模式的な正面図である。
【図６】図５に示す商品陳列具セットの使用形態例を示す模式図である。
【図７】図５に示す商品陳列具セットの使用形態例を示す模式図である。
【図８】図５に示す商品陳列具セットの使用形態例を示す模式図である。
【図９】図５に示す商品陳列具セットの使用形態例を示す模式図である。
【図１０】図５に示す商品陳列具セットの使用形態例を示す模式図である。
【図１１】図５に示す商品陳列具セットの使用形態例を示す模式図である。
【図１２】商品陳列具の形態例の底面図である。
【図１３】２個の商品陳列具からなる商品陳列具セットの使用形態例を示す模式図な斜視図である。
【図１４】４個の商品陳列具からなる商品陳列具セットの使用形態例を示す模式図な斜視図である。
【考案を実施するための形態】
【０００９】
本考案の商品陳列具セットは、２個以上の商品陳列具の組み合わせである。本考案の商品陳列具セットについて、図１〜図６を参照して説明する。図１は、商品陳列具の形態例の模式な斜視図である。図２は、図１に示す商品陳列具の６面図であり、（Ａ）が平面図、（Ｂ）が底面図、（Ｃ）が正面図、（Ｄ）が背面図、（Ｅ）が右側面図、（Ｆ）が左側面図である。図３は、図２に示す商品陳列具の平面図の拡大図である。図４は、図２に示す商品陳列具の正面図の拡大図である。図５は、本考案の商品陳列具セットの形態例の模式的な正面図であり、商品陳列具の個数が３個の場合の形態例である。図６は、図５に示す商品陳列具セットの使用形態例を示す模式図であり、（Ａ）は斜視図であり、（Ｂ）は平面図である。なお、本考案において、平面図とは、商品陳列具の陳列面を上側から見た図である。
【００１０】
図１及び図２に示すように、商品陳列具１は、商品陳列用平坦部２と、商品陳列用平坦部２の裏面に設けられている脚部３と、を有する。なお、図２（Ｂ）中、商品陳列用平坦部２との区別を明確にするために、脚部３の部分を黒く塗りつぶしている。
【００１１】
図３に示すように、商品陳列用平坦部２の平面形状、すなわち、商品陳列用平坦部２を平面視したときの輪郭は、２つの長辺５、６と、２つの短辺７、８とからなる形状である。長辺５、６は、いずれも、略逆Ｓ字状である。そのため、商品陳列用平坦部２の長辺側は、長辺５側及び長辺６側のいずれも、外側に向かって膨らんでいる部分９１と、内側に向かって凹んでいる部分９２と、を有している。そして、長辺５、６は、長辺の両端間の長さに対する膨らみの高さの比が、好ましくは０．０２５〜０．２０、特に好ましくは０．０３５〜０．１５、更に好ましくは０．０５〜０．１０である略逆Ｓ字状である。
【００１２】
短辺７、８は、いずれも、略直線状であり、２つの短辺７、８は、略ハの字状である。
【００１３】
そして、図４に示す商品陳列具の脚部３の高さ２２を調節することにより、あるいは、商品陳列用平坦部２の厚み２１及び脚部３の高さ２２を調節することにより、商品陳列面の高さが異なる２つ以上の商品陳列具が得られる。なお、本考案において、商品陳列用平坦部の厚み２１とは、正面視又は背面視したときに、商品陳列用平坦部の陳列面２４から商品陳列用平坦部の下側２５までの長さである。また、商品陳列用平坦部の下側２５の位置とは、正面視又は背面視したときに、商品陳列用平坦部の最下部の位置を指す。例えば、商品陳列用平坦部が、厚さが均等な平板の場合は、商品陳列用平坦部の下側の位置とは、平板の裏面の位置を指し、また、商品陳列用平坦部が、裏面側に突き出している部分を有している場合は、裏面側に突き出している部分のうちの最下部の位置を指す。
【００１４】
図５及び図６に示す商品陳列具セット１０は、陳列面の高さがそれぞれ異なる第１商品陳列具３１、第２商品陳列具３２及び第３商品陳列具３３の３個の商品陳列具で構成されている。また、商品陳列具セット１０では、商品陳列具セット１０を構成する全ての商品陳列具（第１商品陳列具３１、第２商品陳列具３２及び第３商品陳列具３３）の商品陳列用平坦部の平面形状が、略同一である。
【００１５】
図５に示すように、第２商品陳列具３２の陳列面３５の位置は、第１商品陳列具３１の陳列面３４の位置より高く、且つ、第３商品陳列具３３の陳列面３６の位置は、第２商品陳列具３２の陳列面３５の位置より高い。つまり、第１商品陳列具３１（第１番目の商品陳列具）から第３商品陳列具３３（第３番目の商品陳列具）まで、順に、陳列面の位置が高くなっている。
【００１６】
更に、商品陳列具セット１０では、第２商品陳列具３２の商品陳列用平坦部の下側３７の位置が、第１商品陳列具３１の商品陳列用平坦部の陳列面３１の位置より高く、且つ、第３商品陳列具３３の商品陳列用平坦部の下側３８の位置が、第２商品陳列具３２の商品陳列用平坦部の陳列面３５の位置より高い。
【００１７】
そして、商品陳列具セット１０では、第１商品陳列具３１、第２商品陳列具３２及び第３商品陳列具３３の商品陳列用平坦部の陳列面及び下側の位置が、図５に示すように調節されているので、図６に示すように、第１商品陳列具３１の陳列面の上に、第２商品陳列具３２の商品陳列用平坦部を重ね、且つ、第２商品陳列具３２の陳列面の上に、第３商品陳列具３３の商品陳列用平坦部を重ねるような、商品陳列具の配置が可能となる。
【００１８】
また、商品陳列具セット１０の使用形態例としては、図６に示す形態例の他に、図７〜図１１に示す使用形態例が挙げられる。図７中、（Ａ）は斜視図であり、（Ｂ）は平面図である。図８中、（Ａ）は斜視図であり、（Ｂ）は平面図である。
【００１９】
このように、本考案の商品陳列具セットは、ｎ個の商品陳列具からなる商品陳列具セットであり（ｎは、２以上の整数である。）、
該ｎ個の商品陳列具は、いずれも、商品陳列用平坦部と、該商品陳列用平坦部の裏面に設けられている脚部と、を有し、
該ｎ個の商品陳列具の商品陳列用平坦部の平面形状が、２つの長辺と、２つの短辺とからなる形状であり、該長辺は、いずれも、略Ｓ字状又は略逆Ｓ字状であり、
第１番目の商品陳列具から第ｎ番目の商品陳列具まで、順に陳列面の位置が高くなっており、第２番目から第ｎ番目までの各商品陳列具の商品陳列用平坦部の下側の位置が、１つだけ小さい順番の商品陳列具の商品陳列用平坦部の陳列面の位置より高くなるように、第１番目から第ｎ番目までのｎ個の商品陳列具の商品陳列用平坦部の厚み及び脚部の高さが調節されていること、
を特徴とする商品陳列具セットである。
【００２０】
本考案の商品陳列具セットは、ｎ個の商品陳列具からなる商品陳列具セットである。なお、ｎは２以上の整数である。つまり、本考案の商品陳列具セットは、少なくとも２個の商品陳列具からなる商品陳列具セットである。
【００２１】
本考案の商品陳列具セットにおいて、それを構成するｎ個の商品陳列具は、いずれも、商品陳列用平坦部と、商品陳列用平坦部の裏面に設けられている脚部と、を有する。
【００２２】
商品陳列具の商品陳列用平坦部の平面形状は、２つの長辺と、２つの短辺とからなる形状である。長辺は、いずれも、略Ｓ字状又は略逆Ｓ字状である。なお、図３では、２つの長辺は、略逆Ｓ字状の２つの長辺の組み合わせであるが、本考案においては、略Ｓ字状の２つの長辺の組み合わせであってもよい。つまり、商品陳列具の平面形状は、２つの略Ｓ字の長辺と２つの短辺で囲まれた形状、又は２つの略逆Ｓ字の長辺と２つの短辺で囲まれた形状である。商品陳列用平坦部の平面形状において、長辺が略Ｓ字又は略逆Ｓ字であることにより、陳列面には、外側に向かって膨らんでいる部分と、内側に向かって凹んでいる部分と、が形成される。
【００２３】
商品陳列用平坦部の平面形状において、２つの長辺は、いずれも、両端間の長さに対する膨らみ高さの比が０．０２５〜０．２０の略Ｓ字状又は略逆Ｓ字状であることが好ましく、両端間の長さに対する膨らみ高さの比が０．０３５〜０．１５の略Ｓ字状又は略逆Ｓ字状であることが特に好ましく、両端間の長さに対する膨らみ高さの比が０．０５〜０．１０の略Ｓ字状又は略逆Ｓ字状であることが更に好ましく、両端間の長さに対する膨らみ高さの比が０．０６〜０．０９の略Ｓ字状又は略逆Ｓ字状であることがより好ましい。長辺の両端間の長さに対する膨らみ高さの比が、上記範囲にあることにより、後述する本考案特有の効果が高まる。なお、本考案において、両端間の長さ及び膨らみ高さとは、図３で示すように、長辺６においては、一方の端１５ａから他方の端１５ｂまでの直線距離が、両端間の長さ（符号１１）であり、また、一方の端１５ａから他方の端１５ｂまで引いた直線（符号１４で示す点線）と、膨らみ部の頂点１３ａ、１３ｂとの距離が、膨らみ高さ（符号１２ａ、１２ｂ）である（長辺５においても同様である。）。また、商品陳列用平坦部の平面形状において、長辺には、外側に向かって膨らんでいる膨らみと、内側に向かって凹んでいる膨らみと、があるが、本考案においては、いずれの膨らみについても、両端の長さに対する膨らみ高さの比の範囲が上記範囲にあることが好ましい。つまり、図３に示す長辺６の場合を例に説明すると、「膨らみの高さ１２ａ／両端間の長さ１１」が、好ましくは０．０２５〜０．２０、特に好ましくは０．０３５〜０．１５、更に好ましくは０．０５〜０．１０、より好ましく０．０６〜０．０９であり、且つ、「膨らみの高さ１２ｂ／両端間の長さ１１」が、好ましくは０．０２５〜０．２０、特に好ましくは０．０３５〜０．１５、更に好ましくは０．０５〜０．１０、より好ましく０．０６〜０．０９である。
【００２４】
本考案の商品陳列用平坦部の平面形状において、長辺の略Ｓ字状又は略逆Ｓ字状の一方の膨らみ部と他方の膨らみ部（言い換えると、商品陳列用平坦部の外側に向かって膨らんでいる膨らみと、内側に向かって凹んでいる凹み）の形状は、上下が逆さまの同一形状であっても、異なる形状であってもよい。なお、長辺の略Ｓ字状又は略逆Ｓ字状の一方の膨らみ部と他方の膨らみ部の形状が、上下が逆さまの同一形状とは、言い換えると、略Ｓ字又は略逆Ｓ字の中心（図３では、中心１４１）を中心とする点対称な形状のことである。また、本考案の商品陳列具セットにおいて、２つの長辺の形状は、同一であっても異なっていてもよく、例えば、両端間の長さが異なっていてもよく、また、両端間の長さに対する膨らみ高さの比や膨らみ部の頂点の位置等の膨らみ方が異なっていてもよい。
【００２５】
商品陳列具の平面形状において、２つの短辺の形状は、適宜選択され、直線状であっても、円弧状、略Ｓ字状、略逆Ｓ字状等の曲線であってもよい。そのうち、短辺が略直線状であることが、好ましい。また、２つの短辺のいずれもが略直線状であり且つ２つの短辺が略ハの字である形状であることが、２つの短辺が略平行である形状の場合に比べ、商品陳列具を、一段陳列面が高い商品陳列具の短辺方向のより奥に配置させることができるようになる点で好ましい。なお、本考案において、短辺がハの字状であるとは、２つの短辺の一方の長辺側の端同士の距離が、２つの短辺の他方の長辺側の端同士の距離より、長くなっていることを指す。つまり、本考案において、短辺がハの字状であると、一方の長辺の略Ｓ字又は略逆Ｓ字の両端間の長さが、他方の長辺の略Ｓ字又は略逆Ｓ字の両端間の長さより、長くなる。
【００２６】
本考案の商品陳列具セットにおいて、ｎ個の商品陳列具の商品陳列用平坦部の平面形状は、全て同一であっても、それぞれ異なっていてもよい。ｎ個の商品陳列具の商品陳列用平坦部の平面形状が、それぞれ異なっている形態例としては、例えば、ｎ個の商品陳列具の商品陳列用平坦部の平面形状が、第１番目からｎ番目になるにつれ大きくなる相似形の形態例や、ｎ個の商品陳列具の商品陳列用平坦部の平面形状における２つの長辺の両端間の長さが、第１番目からｎ番目になるにつれ大きくなる形態例が挙げられる。これらのうち、ｎ個の商品陳列具の商品陳列用平坦部の平面形状が、全て略同一であることが、統一感のある演出効果が得られる点で好ましい。
【００２７】
そして、本考案の商品陳列具セットでは、第１番目の商品陳列具から第ｎ番目の商品陳列具まで、順に陳列面の位置が高くなっており、第２番目から第ｎ番目までの各商品陳列具の商品陳列用平坦部の下側の位置が、１つだけ小さい順番の商品陳列具の商品陳列用平坦部の陳列面の位置より高くなるように、第１番目から第ｎ番目までのｎ個の商品陳列具の商品陳列用平坦部の厚み及び脚部の高さが調節されている。
【００２８】
例えば、商品陳列具セットが、第１番目の商品陳列具、第２番目の商品陳列具、第３番目の商品陳列具・・・第ｎ−２番目の商品陳列具、第ｎ−１番目の商品陳列具、及び第ｎ番目の商品陳列具のｎ個の商品陳列具からなる場合、第１番目の商品陳列具から第ｎ番目の商品陳列具まで、順に、商品陳列用平坦部の陳列面の高さが高くなっている。そして、第２番目の商品陳列具の商品陳列用平坦部の下側の位置が、第１番目の商品陳列具の商品陳列用平坦部の陳列面の位置より高く、第３番目の商品陳列具の商品陳列用平坦部の下側の位置が、第２番目の商品陳列具の商品陳列用平坦部の陳列面の位置より高く、・・・第ｎ−１番目の商品陳列具の商品陳列用平坦部の下側の位置が、第ｎ−２番目の商品陳列具の商品陳列用平坦部の陳列面の位置より高く、且つ、第ｎ番目の商品陳列具の商品陳列用平坦部の下側の位置が、第ｎ−１番目の商品陳列具の商品陳列用平坦部の陳列面の位置より高くなっている。
【００２９】
言い換えると、本考案の商品陳列具セットでは、第１番目の商品陳列具から第ｎ番目の商品陳列具まで、順に陳列面の位置が高くなっており、商品陳列用平坦部の下側に、１つだけ小さい順番の商品陳列具の商品陳列用平坦部が入り込むことが可能なように、第１番目から第ｎ番目までのｎ個の商品陳列具の商品陳列用平坦部の厚み及び脚部の高さが調節されている。
【００３０】
例えば、商品陳列具セットが、第１番目の商品陳列具、第２番目の商品陳列具、第３番目の商品陳列具・・・第ｎ−２番目の商品陳列具、第ｎ−１番目の商品陳列具、及び第ｎ番目の商品陳列具のｎ個の商品陳列具からなる場合、第１番目の商品陳列具から第ｎ番目の商品陳列具まで、順に、商品陳列用平坦部の陳列面の高さが高くなっている。そして、第ｎ番目の商品陳列具の商品陳列用平坦部の下側に、第ｎ−１番目の商品陳列具の商品陳列用平坦部が入り込み、第ｎ−１番目の商品陳列具の商品陳列用平坦部の下側に、第ｎ−２番目の商品陳列具の商品陳列用平坦部が入り込み、・・・第３番目の商品陳列具の商品陳列用平坦部の下側に、第２番目の商品陳列具の商品陳列用平坦部が入り込み、且つ、第２番目の商品陳列具の商品陳列用平坦部の下側に、第１番目の商品陳列具の商品陳列用平坦部が入り込むことが可能なようになっている。
【００３１】
本考案の商品陳列具セットにおいては、ｎ個の各商品陳列具の商品陳列用平坦部の陳列面及び下側の位置は、各商品陳列具の脚部の高さを調節すること、あるいは、商品陳列用平坦部の厚み及び各商品陳列具の脚部の高さを調節することにより、調節される。
【００３２】
本考案の商品陳列具セットでは、各商品陳列用平坦部の平面形状における２つの長辺が、特定範囲の膨らみを持つ略Ｓ字状又は略逆Ｓ字状の２つの長辺の組み合わせであることにより、本考案特有の効果を奏する。
【００３３】
例えば、商品陳列具セット１０の場合、図６に示す使用形態では、図６に示す使用形態の商品陳列具セット１０を平面視したときに、符号３９側の商品陳列用平坦部の長辺の逆Ｓ字状の曲線部分が、隣にある商品陳列具の商品陳列用平坦部の長辺の逆Ｓ字状の曲線部分に繋がるように、商品陳列用平坦部が重なり合っているので（図６中（Ｂ））、符号３９側から見たときに、商品陳列用平坦部の符号３９側の端面が、一続きの滑らかな曲面であるかのような演出効果を奏する（図６中（Ａ））。
【００３４】
つまり、本考案の商品陳列具セットは、各商品陳列用平坦部の長辺が、Ｓ字状又は逆Ｓ字状であるため、商品陳列具を配置させたときに、商品陳列用平坦部の端面が、一続きの滑らかな曲面であるかのような演出効果を奏する。そして、長辺が、特定範囲の膨らみを持つＳ字状又は逆Ｓ字状であることにより、本考案の演出効果が高まる。
【００３５】
また、例えば、商品陳列具セット１０を図７に示す使用形態に配置させた場合、図７中の（Ｂ）に、長辺が直線であった場合の長辺の位置を点線（符号４５）で示しているが、商品陳列用平坦部の外側に膨らんだ膨らみ部分の存在により、商品陳列具セット１０は、長辺が直線であった場合に比べ、符号４６及び符号４７で示す斜線部分だけ、陳列面が前方に張り出しているような演出効果を奏する。特に、一段上に重ねられた商品陳列用平坦部の存在により、陳列面が前方に張り出しているような演出効果が強調される。
【００３６】
つまり、本考案の商品陳列具セットは、各商品陳列用平坦部の長辺が、Ｓ字状又は逆Ｓ字状であるため、商品陳列具を配置させたときに、商品陳列用平坦部の膨らみ部分の存在により、陳列面が前方に張り出しているような演出効果を奏する。特に、一段上に重ねられた商品陳列用平坦部の存在により、陳列面が前方に張り出しているような演出効果が強調される。
【００３７】
図１〜図４では、商品陳列具の脚部３は、底面視したときに、商品陳列用平坦部の短辺側の略全体に亘り、且つ、長辺側の端近傍の位置３１ａ、３１ｂまで端部が延出している板状の脚部であるが、本考案はこれに制限されるものではなく、適宜選択される。例えば、脚部は、図１２に示す脚部５２のように、商品陳列用平坦部５１の裏面の四隅近傍にのみ形成されている底面視で略Ｌ字状、略逆Ｌ字状、略くの字状又は略逆くの字状の板状の脚部であってもよい。なお、図１２中、商品陳列用平坦部５１との区別を明確にするために、脚部５２の部分を黒く塗りつぶしている。また、脚部は、角柱状の脚部や、円柱状の脚部であってもよい。また、脚部は、商品陳列用平坦部の短辺側又はその近傍に設けられており、長辺側又はその近傍に設けられていないことが、商品陳列用平坦部の下側への隣の商品陳列具の配置の制限が少なくなるため、商品陳列具の配置のバリエーションが増える点で好ましいが、これに制限されるものではなく、長辺側又はその近傍に脚部が設けられていてもよい。また、脚部は、商品陳列用平坦部に固定されていても、あるいは、商品陳列用平坦部から取り外し可能に取り付けられていてもよい。
【００３８】
本考案の商品陳列具セットでは、商品陳列具の商品陳列用平坦部の平面形状が、２つの短辺のいずれもが略直線状であり且つ２つの短辺が略ハの字状である形状であり、脚部が商品陳列用平坦部の短辺側又はその近傍に形成されていることが、２つの短辺が平行である形状の場合に比べ、商品陳列具を、一段陳列面が高い商品陳列具の商品陳列用平坦部の短辺方向のより奥に配置させることができるようになる点で好ましい。具体的に説明すると、例えば、図６に示す商品陳列具セット１０の場合、各商品陳列具３１、３２、３３は、いずれも、商品陳列具の商品陳列用平坦部の平面形状が、２つの短辺のいずれもが略直線状であり且つ２つの短辺が略ハの字状である形状であり、脚部が商品陳列用平坦部の短辺側又はその近傍に形成されている。そして、図６中（Ａ）及び（Ｂ）に示すように、符号３９の方向から見ると、第３商品陳列具３３の奥側の脚部が、奥側に開くような配置となるため、第２商品陳列具３２を、奥に配置させることができる。
【００３９】
本考案の商品陳列具セットでは、商品陳列具の個数は、演出に合わせて、適宜選択される。また、本考案の商品陳列具セットを構成する各商品陳列具の陳列面の高さの差は、演出に合わせて、適宜選択される。
【００４０】
本考案の第１の形態例の商品陳列具セットは、２個の商品陳列具からなる形態例であり、第１商品陳列具と、第２商品陳列具と、からなる商品陳列具セットであり、
該第１商品陳列具及び該第２商品陳列具は、いずれも、商品陳列用平坦部と、該商品陳列用平坦部の裏面に設けられている脚部と、を有し、
該商品陳列用平坦部の平面形状が、２つの長辺と、２つの短辺とからなる形状であり、該長辺は、いずれも、略Ｓ字状又は略逆Ｓ字状であり、
該第２商品陳列具の商品陳列用平坦部の下側の位置が、該第１商品陳列具の商品陳列用平坦部の陳列面の位置より高くなるように、該第１商品陳列具及び該第２商品陳列具の商品陳列用平坦部の厚み及び脚部の高さが調節されていること、
を特徴とする商品陳列具セットである。本考案の第１の形態例の商品陳列具セットでは、第２商品陳列具の商品陳列用平坦部の下側に、第１商品陳列具の商品陳列用平坦部が入り込むことが可能なようになっている。
【００４１】
本考案の第２の形態例の商品陳列具セットは、３個の商品陳列具からなる形態例であり、第１商品陳列具と、第２商品陳列具と、第３商品陳列具と、からなる商品陳列具セットであり、
該第１商品陳列具、該第２商品陳列具及び該第３商品陳列具は、いずれも、商品陳列用平坦部と、該商品陳列用平坦部の裏面に設けられている脚部と、を有し、
該商品陳列用平坦部の平面形状が、２つの長辺と、２つの短辺とからなる形状であり、該長辺は、いずれも、略Ｓ字状又は略逆Ｓ字状であり、
該第２商品陳列具の商品陳列用平坦部の下側の位置が、該第１商品陳列具の商品陳列用平坦部の陳列面の位置より高く、且つ、該第３商品陳列具の商品陳列用平坦部の下側の位置が、該第２商品陳列具の商品陳列用平坦部の陳列面の位置より高くなるように、該第１商品陳列具、該第２商品陳列具及び第３商品陳列具の商品陳列用平坦部の厚み及び脚部の高さが調節されていること、
を特徴とする商品陳列具セットである。本考案の第２の形態例の商品陳列具セットでは、第３商品陳列具の商品陳列用平坦部の下側に、第２商品陳列具の商品陳列用平坦部が入り込み、且つ、第２商品陳列具の商品陳列用平坦部の下側に、第１商品陳列具の商品陳列用平坦部が入り込むことが可能なようになっている。
【００４２】
本考案の第３の形態例の商品陳列具セットは、４個の商品陳列具からなる形態例であり、第１商品陳列具と、第２商品陳列具と、第３商品陳列具と、第４商品陳列具と、からなる商品陳列具セットであり、
該第１商品陳列具、該第２商品陳列具、第３商品陳列具及び該第４商品陳列具は、いずれも、商品陳列用平坦部と、該商品陳列用平坦部の裏面に設けられている脚部と、を有し、
該商品陳列用平坦部の平面形状が、２つの長辺と、２つの短辺とからなる形状であり、該長辺は、いずれも、略Ｓ字状又は略逆Ｓ字状であり、
該第２商品陳列具の商品陳列用平坦部の下側の位置が、該第１商品陳列具の商品陳列用平坦部の陳列面の位置より高く、該第３商品陳列具の商品陳列用平坦部の下側の位置が、該第２商品陳列具の商品陳列用平坦部の陳列面の位置より高く、且つ、該第４商品陳列具の商品陳列用平坦部の下側の位置が、該第３商品陳列具の商品陳列用平坦部の陳列面の位置より高くなるように、該第１商品陳列具、該第２商品陳列具、第３商品陳列具及び該第４商品陳列具の商品陳列用平坦部の厚み及び脚部の高さが調節されていること、
を特徴とする商品陳列具セットである。本考案の第３の形態例の商品陳列具セットでは、第４商品陳列具の商品陳列用平坦部の下側に、第３商品陳列具の商品陳列用平坦部が入り込み、第３商品陳列具の商品陳列用平坦部の下側に、第２商品陳列具の商品陳列用平坦部が入り込み、且つ、第２商品陳列具の商品陳列用平坦部の下側に、第１商品陳列具の商品陳列用平坦部が入り込むことが可能なようになっている。
【００４３】
本考案の第１の形態例の商品陳列具セット、本考案の第２の形態例の商品陳列具セット及び本考案の第３の形態例の商品陳列具セットにおいて、商品陳列具を構成する各商品陳列具の商品陳列用平坦部の平面形状の２つの長辺は、いずれも、両端の長さに対する膨らみ高さの比が０．０２５〜０．２０である略Ｓ字状又は略逆Ｓ字状であることが好ましく、両端の長さに対する膨らみ高さの比が０．０３５〜０．１５である略Ｓ字状又は略逆Ｓ字状であることが特に好ましく、両端の長さに対する膨らみ高さの比が０．０５〜０．１０である略Ｓ字状又は略逆Ｓ字状であることが更に好ましく、両端の長さに対する膨らみ高さの比が０．０６〜０．０９である略Ｓ字状又は略逆Ｓ字状であることがより好ましい。
【００４４】
また、本考案の第１の形態例の商品陳列具セットの使用形態例を、図１３に示す。また、本考案の第３の形態例の商品陳列具セットの使用形態例を、図１４に示す。
【産業上の利用可能性】
【００４５】
本考案の商品陳列具セットによれば、種々の商品陳列の演出が可能になる。
【符号の説明】
【００４６】
１          商品陳列具
２          商品陳列用平坦部
３、５２    脚部
５、６      長辺
７、８      短辺
１０        商品陳列具セット
１１        両端間の距離
１２ａ、１２ｂ  膨らみ高さ
１３ａ、１３ｂ  膨らみの頂点
１５ａ、１５ｂ  長辺の端
２１        商品陳列用平坦部の厚み
２２        脚部の高さ
３１        第１商品陳列具
３２        第２商品陳列具
３３        第３商品陳列具
３４、３５、３６  陳列面
３７、３８  商品陳列用平坦部の下側
５２        商品陳列用平坦部
９１        外側に向かって膨らんでいる部分
９２        内側に向かって凹んでいる部分
１４１      略Ｓ字又は略逆Ｓ字の中心
【図１】
0003203604.tif 000003
【図２】
0003203604.tif 000004
【図３】
0003203604.tif 000005
【図４】
0003203604.tif 000006
【図５】
0003203604.tif 000007
【図６】
0003203604.tif 000008
【図７】
0003203604.tif 000009
【図８】
0003203604.tif 000010
【図９】
0003203604.tif 000011
【図１０】
0003203604.tif 000012
【図１１】
0003203604.tif 000013
【図１２】
0003203604.tif 000014
【図１３】
0003203604.tif 000015
【図１４】
0003203604.tif 000016